(57)【要約】【課題】ページ毎に選択されている印刷モードの表示と、そのページ毎に選択されている印刷モードの変更を可能にする。【解決手段】プリンタで印刷される印刷データを生成する情報処理方法は、受信した印刷ジョブデータを解析し、所望の順序で読み出し可能にするスプールファイルに、その解析結果に応じて印刷ジョブデータをスプールし、スプールファイルから印刷ジョブデータを特定し、その印刷ジョブデータに設定されている印刷モードを切り替え、切り替えられた印刷モードに基づいて、プリンタで印刷される印刷データを生成する。【選択図】  図１５
2004157610.tif 000002
【特許請求の範囲】
【請求項１】
プリンタで印刷される印刷データを生成する情報処理装置であって、
受信した印刷ジョブデータを解析し、所望の順序で読み出し可能にする格納手段に、該解析に応じて該印刷ジョブデータをスプールするスプール手段と、
前記格納手段にスプールされた印刷ジョブデータを特定し、該印刷ジョブデータに設定されている印刷モードを変更する設定変更エディタ手段と、
前記設定変更エディタ手段により印刷モードが切り替えられた印刷ジョブデータに基づいて、前記プリンタで印刷される印刷データを生成するデータ生成手段と、
を備えることを特徴とする情報処理装置。
【発明の詳細な説明】
【０００１】
【発明の属する技術分野】
本発明は、プリンタで印刷するための印刷データを生成する情報処理技術に関するものである。
【０００２】
【従来の技術】
図２は従来の印刷処理システムの構成を示す図である。ホストコンピュータ３０００は、セントロニクスインターフェース、ＩＥＥＥ１２８４といったパラレルインタフェース、ＵＳＢ、ＩＥＥＥ１３９４等のシリアルインタフェースまたは１０／１００ＢＡＳＥ−Ｔ等のネットワークインタフェース等の外部インターフェ−ス２１を介してプリンタ１５００と接続されている。ホストコンピュータ３０００には、不図示のＣＲＴ、ＬＣＤ等のディスプレイモニタ及び入力デバイスとしてのキーボード及びマウスが接続されている。
【０００３】
グラフィックエンジン２０２は、印刷装置ごとに用意されたプリンタドライバ２０３をメモリよりロードし、アプリケーション２０１の出力をプリンタドライバ２０３に設定する。そして、アプリケーション２０１から受け取るＧＤＩ（Ｇｒａｐｈｉｃ  Ｄｅｖｉｃｅ  Ｉｎｔｅｒｆａｃｅ）関数からＤＤＩ（Ｄｅｖｉｃｅ  Ｄｒｉｖｅｒ  Ｉｎｔｅｒｆａｃｅ）関数に変換して、プリンタドライバ２０３へＤＤＩ関数を出力する。
【０００４】
プリンタドライバ２０３は、グラフィックエンジン２０２から受け取ったＤＤＩ関数に基づいて、プリンタが認識可能な制御コマンド、例えばＰＤＬ（Ｐａｇｅ  Ｄｅｓｃｒｉｐｔｉｏｎ  Ｌａｎｇｕａｇｅ）への変換や１ページのイメージに展開する。変換されたプリンタ制御コマンドは、ＯＳによってシステムスプーラ２０４を経てインタフェイス２１経由でプリンタ１５００へ印刷データとして出力される仕組みとなっている。
【０００５】
プリンタ１５００へ出力する印刷データとしては、ＰＤＬ（Ｐａｇｅ  Ｄｅｓｃｒｉｐｔｉｏｎ  Ｌａｎｇｕａｇｅ）と呼ばれる制御コマンド及びイメージデータ（ビットマップ）の２種類に大別される。それぞれを生成する印刷モードをＰＤＬモード、イメージモードと呼ぶ。
【０００６】
ＰＤＬタイプの印刷データ生成を行う場合、グラフィックエンジン２０２から抽象度の高い描画データを受け取り、ＰＤＬコマンドの形式で送出できるので、通常のページ印刷においては転送する印刷データサイズを小さくすることが可能である。
【０００７】
一方、イメージタイプの場合は、プリンタ１５００では高度な描画処理を行わずにすむよう、プリンタドライバ２０３がホストコンピュータ３０００で確保したメモリ空間上に印刷イメージの展開を行い、それをプリンタ１５００で直接印刷できるイメージデータ形式に変換してから、システムスプーラ２０４経由でプリンタ１５００に転送する。
【０００８】
イメージタイプの印刷データ生成を行う場合はホストコンピュータ３０００において、ＰＤＬタイプの印刷データ生成部を用いる場合はプリンタ１５００において、描画処理を行う必要がある。描画処理を行うには、メモリ空間を確保する必要があるが、ＲＧＢ２４ＢＰＰ（各色８ビット）で６００ＤＰＩ（ｄｏｔ  ｐｅｒ  ｉｎｃｈ）、Ａ４フルページ分の描画処理を行うために必要なメモリ空間は９６ＭＢｙｔｅ必要であり、現状ではホストコンピュータ３０００、プリンタ１５００のどちらでも確保することは困難である。
【０００９】
そこで、一般には、特にデータ量が多くなるカラープリンタの描画処理には、１ページを水平方向に複数に分割したバンド単位で描画処理が行われ、この描画処理に用いるメモリをバンドメモリと呼ぶ。
【００１０】
また、プリンタ１５００に最終的に転送するデータ形式は、ディスプレイ装置で用いられるようなＲＧＢ（輝度）形式ではなく、プリンタ１５００が用いるトナーの濃度を表すＹＭＣＫ形式であり、またＹＭＣＫ形式では各色１ビット、２ビット（又は４ビット）であることが多いため、各色８ビットのＲＧＢ形式よりもデータ量が小さくなるという理由から、プリンタドライバ２０３以降の処理においてはＹＭＣＫ形式でデータを取り扱うのが一般的である。そして、イメージタイプの印刷データ生成部のなかには、ＹＭＣＫ各色１ビット、２ビットもしくは４ビットのデータをプリンタ１５００に転送することで、転送データサイズを小さく抑え、プリンタ１５００の負荷を軽くするものがある。
【００１１】
例えば、多角形図形の印字処理を行う場合、ＰＤＬタイプの印刷データ生成部は、多角形の頂点座標と線幅、線の色情報、図形内の塗り色情報等がコマンドとして転送され、プリンタ内部でこのコマンドを解析し、プリンタ内部に設けられた、ＹＭＣＫ各色１ビット、２ビットまたは４ビットのデータに対する１バンド分のメモリ空間を用いて描画処理を行い、出力形態のビットマップデータに展開する。
【００１２】
ＰＤＬタイプの印刷データ生成を行う場合、プリンタに転送されるデータはＰＤＬコマンドであり、一般にはイメージタイプの印刷データ生成部が生成するデータよりもサイズが小さくなる。しかし、１ページあたりのＰＤＬコマンド数には制限が無く、理論上はイメージタイプの印刷データ生成部よりも転送データが大きくなる可能性がある。また、ＰＤＬタイプの印刷データ生成部を用いた場合、プリンタ側で描画処理を行う必要があるが、バンドメモリに対する描画処理であっても、１ページ分のＰＤＬコマンドをすべて受信してからでないと描画処理が開始できない。近年、アプリケーションが出力する印刷命令は増加の一途をたどっており、１ページを構成するＰＤＬコマンドも増加しているため、メモリ量の少ないプリンタでは処理速度低下の要因になっている。
【００１３】
このような場合、プリンタに比べてメモリ容量に余裕のあるホストコンピュータ３０００上で動くプリンタドライバ２０３においてバンド単位もしくはフルページ分の描画メモリを確保し、イメージタイプの印刷データ生成部を使用して描画処理を行い、ビットマップデータをプリンタに転送した方が印刷処理全体のスループットは向上する。
【００１４】
前述したように、印刷データ生成部は、ＰＤＬタイプ、イメージタイプ共に省メモリのためにＹＭＣＫ各色１、２、４ビットという出力装置依存の色空間上で描画処理を行っているが、グラフィックエンジン２０２が論理演算描画処理時にＤＤＩ関数群をコールする場合、用いられる色形式はＹＭＣＫ形式でなくＲＧＢ形式であるため、描画不正が発生することがある。このため、描画不正回避のために、論理演算処理が発生した場合、プリンタドライバ２０３においてＹＭＣＫ形式に変換されているデータをＲＧＢ値に戻し（逆ＵＣＲ（Ｕｎｄｅｒ  Ｃｏｌｏｒ  Ｒｅｍｏｖｅ）処理）、それから論理演算処理することで対応しているが、完全な描画処理を保証しないばかりか、処理速度低下の原因になっている。
【００１５】
このように、印刷しようとする内容、プリンタドライバ２０３で用いる印刷データ生成部の種類、プリンタ側のハードウェア資源等、多くの要因によって印刷処理全体に要する時間は変動する。
【００１６】
しかし、このような要因を考慮して適切な処理方法を自動選択する方法は現時点で実現されていない。そこで、アプリケーションのユーザは、通常は高速に処理がなされる可能性の高いＰＤＬタイプの印刷データ生成部を選択して（実際にはアプリケーションもしくはプリンタドライバ２０３が提供するＧＵＩなどで、「速度優先」、「高速印刷」等の印刷モードを選択することにより印刷を指示し、出力に時間が掛かりすぎる場合は、同様に高速イメージモード（デバイス依存色ＹＭＣＫ描画）に切り替えて出力しなおす。また、不正出力結果が出た場合は、同様に高画質イメージモード（デバイス非依存ＲＧＢ描画）に印刷モードを選択して出力し直さなければならない。
【００１７】
つまり、現状においては、プリンタドライバ２０３での印刷データ生成方式、すなわち印刷モードの選択が、アプリケーションのユーザに任されており、また、ユーザは自分が印刷しようとしている文書等に最適な印刷モードを決定する術を持たないため、全てのモードで実際に印刷し、出力物もしくは出力時間等を比較しないと最適なモードが解らない。
【００１８】
また、複数ページを有する文書等を印刷する場合、ＰＤＬタイプが適したページとイメージタイプが適したページなど、タイプの異なるページが同一文書中に含まれている場合がある。このような文書を印刷する場合、全ページを同一の印刷モード（印刷データ生成部）で処理すると、出力時間が遅延し、または不正出力ページが混じる、といった問題も発生しうる。
【００１９】
上述の課題を解決するために図１９に示すような、プリンタドライバが利用可能な各印刷データ生成部の長所、短所に応じて、各印刷データ生成部の長所のみを用いて印刷処理を行うことが可能なような、印刷モード（印刷データ生成部）の自動切り替え技術もある。
【００２０】
上述の従来技術としては、例えば、以下の特許文献１に示されるものがある。
【００２１】
【特許文献１】
特開２００１−７１６０２号公報（第３０頁、図１９）
【００２２】
【発明が解決しようとする課題】
しかしながら、上記の従来における印刷モードの自動切り替えを用いても以下のような要因で、スプールファイル３０３で保持中の中間コードの印刷モードを変更する必要が生じる場合があるが、上述のシステム構成においては、その中間コードを以下の場合のようにユーザの要求に応じて編集することは困難であった。
【００２３】
・プリンタでの他印刷ジョブの込み具合をユーザが判断し、ホスト側でイメージ展開する方が処理を迅速に進めることができると考えられる場合。
【００２４】
・プリンタ固有の障害や描画特性等の要因により印刷モードを替える必要があると判断される場合。
【００２５】
・印刷モードの描画差異をなくすために、印刷モードを統一する場合。
【００２６】
・自動切り替えを用いていない場合でも、スプールファイル３０３で保持中の中間コードを試し印刷し、印刷結果を確かめてページごとに印刷モードを変更する場合。
【００２７】
・印刷描画障害のメーカサポート時において、自動切り替えにどの印刷モードで印刷を行っているかは重要な調査情報で、ページ毎にどの印刷モードが選択されたかを簡易に認識しようとする場合。
【００２８】
本発明は上記のようなユーザの使用に対する要求とメインテナンスサポート時における要求を解決するために、ページ毎に選択されている印刷モードの表示と、そのページ毎に選択されている印刷モードの変更する機能を有する情報処理装置、情報処理方法、その情報処理方法をコンピュータで実行するためのプログラムを提供することを目的とする。
【００２９】
【課題を解決するための手段】
上記目的を達成するべく、本発明にかかる情報処理装置等は主として以下の構成を有することを特徴とする。
【００３０】
すなわち、プリンタで印刷される印刷データを生成する情報処理装置は、
受信した印刷ジョブデータを解析し、所望の順序で読み出し可能にする格納手段に、該解析に応じて該印刷ジョブデータをスプールするスプール手段と、
前記格納手段にスプールされた印刷ジョブデータを特定し、該印刷ジョブデータに設定されている印刷モードを変更する設定変更エディタ手段と、
前記設定変更エディタ手段により印刷モードが切り替えられた印刷ジョブデータに基づいて、前記プリンタで印刷される印刷データを生成するデータ生成手段と、を備えることを特徴とする。
【００３１】
【発明の実施の形態】
＜実施形態１＞
以下、本発明を適用するのに好適である実施形態について説明を行う。
【００３２】
図１は本発明の実施形態にかかる印刷制御システムの構成を説明するブロック図である。なお、本発明の機能が実行されるのであれば、単体の機器であっても、複数の機器からなるシステムであっても、ＬＡＮ、ＷＡＮ等のネットワークを介して接続がなされ処理が行われるシステムであっても本発明を適用できる。
【００３３】
同図において、ホストコンピュータ３０００は、ＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。
【００３４】
また、このＲＯＭ３のプログラム用ＲＯＭあるいは外部メモリ１１には、ＣＰＵ１の制御プログラムであるオペレーティングシステムプログラム（以下ＯＳ）等を記憶し、ＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行う際に使用する各種データを記憶する。ＲＡＭ２は、ＣＰＵ１の主メモリ、ワークエリア等として機能する。
【００３５】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピー（登録商標）ディスク（ＦＤ）等の外部メモリ１１とのアクセスを制御する。プリンタコントローラ（ＰＲＴＣ）８は、双方向性インタフェイス（インタフェイス）２１を介してプリンタ１５００に接続されて、プリンタ１５００との通信制御処理を実行する。
【００３６】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００３７】
プリンタ１５００は、ＣＰＵ１２により制御される。プリンタＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４がないプリンタの場合には、ホストコンピュータ上で利用される情報等が記憶されている。
【００３８】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１８は前述した操作パネルで操作のためのスイッチおよびＬＥＤ表示器等が配されている。
【００３９】
また、前述した外部メモリ１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５０１からのプリンタモード設定情報を記憶するようにしてもよい。
【００４０】
本実施形態の印刷システムは、プリンタとホストコンピュータからなる印刷システムを図３に示すように、アプリケーションからの印刷データを一旦中間コードデータでスプールする構成を有する。
【００４１】
図３は、図２のシステムを拡張したもので、グラフィックエンジン２０２からプリンタドライバ２０３へ印刷命令を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべての印刷命令をプリンタの制御コマンドへ変換し終った時点である。これに対して、図３のシステムでは、スプーラ３０２がすべての印刷命令を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００４２】
これらの目的のために、図２のシステムに対し、図３のように中間コードデータでスプールするようにシステムの拡張がなされてきている。なお、印刷データの加工を行うためには、通常プリンタドライバ２０３が提供するウインドウから設定を行い、プリンタドライバ２０３がその設定内容をＲＡＭ２上あるいは外部メモリ１１上に保管する。
【００４３】
以下、図３の詳細を説明する。図に示す通り、この拡張された処理方式では、グラフィックエンジン２０２からの印刷命令であるＤＤＩ（Ｄｅｖｉｃｅ  Ｄｒｉｖｅｒ  Ｉｎｔｅｒｆａｃｅ）関数をディスパッチャ３０１が受け取る。ディスパッチャ３０１がグラフィックエンジン２０２から受け取った印刷命令（ＤＤＩ関数）が、アプリケーション２０１からグラフィックエンジン２０２へ発行された印刷命令（ＧＤＩ（Ｇｒａｐｈｉｃ  Ｄｅｖｉｃｅ  Ｉｎｔｅｒｆａｃｅ）関数）に基づくものである場合には、ディスパッチャ３０１は外部メモリ１１に格納されているスプーラ３０２をＲＡＭ２にロードし、プリンタドライバ２０３ではなくスプーラ３０２へ印刷命令（ＤＤＩ関数）を送付する。
【００４４】
スプーラ３０２は受け取った印刷命令を解析し、ページ単位に中間コードに変換してスプールファイル３０３に出力する。このページ単位に格納されている中間コードのスプールファイルをページ描画ファイル（ＰＤＦ：Ｐａｇｅ  Ｄｅｓｃｒｉｐｔｉｏｎ
Ｆｉｌｅ）と呼ぶ。
【００４５】
また、スプーラ３０２は、プリンタドライバ２０３に対して設定されている印刷データに関する加工設定（Ｎｕｐ、両面、ステイプル、カラー／モノクロ指定等）をプリンタドライバ２０３から取得してジョブ単位のファイルとしてスプールファイル３０３に保存する。この時部単位に格納されている設定ファイルをジョブ設定ファイル（簡略してＳＤＦ：Ｓｐｏｏｌ  Ｄｅｓｃｒｉｐｔｉｏｎ  Ｆｉｌｅと呼ぶこともある）と呼ぶ。このジョブ設定ファイルについては後述する。
【００４６】
さらに印刷モード自動切り替え時は、スプーラ３０２で中間コードを生成する際に、印刷モード判定モジュール３０８は１ページを構成する印刷命令情報を収集データ化し、ページ毎に決定した最適と考えられる印刷モードとともに、ジョブ設定ファイルに格納する。なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００４７】
スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対して、スプールファイル３０３に記述された中間コードのページ描画ファイルの印刷処理を行うように指示する。
【００４８】
デスプーラ３０５はスプールファイル３０３に含まれる中間コードのページ描画ファイルをスプールファイル３０３に含まれる加工設定情報を含むジョブ設定ファイルに従って加工し、ＧＤＩ関数を再生成し、もう一度グラフィックエンジン２０２経由でＧＤＩ関数を出力する。
印刷モード自動切り替え時は、印刷モード判定モジュール３０８がページ毎に決定した印刷モードを設定し、グラフィックエンジン２０２経由でＧＤＩ関数を出力する。
【００４９】
ディスパッチャ３０１がグラフィックエンジン２０２から受け取った印刷命令（ＤＤＩ関数）がデスプーラ３０５からグラフィックエンジン２０２へ発行された印刷命令（ＧＤＩ関数）に基づいたものである場合には、ディスパッチャ３０１はスプーラ３０２ではなく、プリンタドライバ２０３に印刷命令を送る。
【００５０】
プリンタドライバ２０３はグラフィックエンジン２０２から取得したＤＤＩ関数に基づいてページ記述言語等からなるプリンタ制御コマンドを生成し、システムスプーラ２０４経由でプリンタ１５００に出力する。
【００５１】
更に、図３では、これまで説明した拡張システムに加えて、プレビューア３０６、設定変更エディタ３０７を配し、プレビュー、印刷設定変更、複数ジョブの結合を可能にした例を示している。印刷プレビュー、印刷設定変更、複数ジョブの結合を行うためには、まず、ユーザが図９に示すプリンタドライバのプロパティにおいて、「出力先の指定」を行う手段であるプルダウンメニューにおいて「ストア（Ｓｔｏｒｅ）」を指定する必要がある。なお、プレビューだけをみたい場合は、出力先の指定として「プレビュー（Ｅｄｉｔ  ａｎｄ  Ｐｒｅｖｉｅｗ）」を選択することによっても可能である。
【００５２】
このようにプリンタドライバのプロパティで設定されている内容は設定ファイルとしてＯＳが提供する構造体（Ｗｉｎｄｏｗｓ（登録商標）ＯＳでは、ＤＥＶＭＯＤＥと呼ばれる）に格納される。その構造体には、例えばスプールファイル３０３に含まれる加工設定中にスプールファイルマネージャ３０４にストアを行うかどうかの設定が含まれており、スプールファイルマネージャ３０４がプリンタドライバを介して加工設定を読み込み、ストア指定がなされていた場合、前述したようにスプールファイル３０３にページ描画ファイルとジョブ設定ファイルとが生成・格納され、図１６のようにスプールファイルマネージャのウインドウ画面がポップアップされ、スプールファイル３０３にスプールされたジョブがリスト表示される。図１６には、４つのジョブがスプールされている例を示しており、メニューバーもしくは、そのすぐ下のメニューアイコンを押下することにより、ジョブの操作を行うことができる。メニューバーとメニューアイコンの操作の数は同じである。
【００５３】
操作種類としては、ジョブを選択した状態で、「印刷」（１６０１）、中間コードのスプールファイルをそのまま残して印刷を行わせる「セーブして印刷」（１６０２）、印刷設定を考慮したジョブの出力プレビューを見るための「プレビュー」（１６０３）、中間コードのスプールファイルを削除する「削除」（１６０４）、中間コードのスプールファイルのコピーを生成する「複製」（１６０５）、複数個存在する中間コードのスプールファイルのジョブを結合して１つのジョブにする「結合」（１６０６）、結合ジョブを元の複数のジョブに分割する「分割」（１６０７）、単体ジョブもしくは結合ジョブの印刷設定（レイアウト設定やフィニッシング設定等）を変更する「ジョブ編集」（１６０８）、あるジョブの印刷順序を最初にする「先頭に移動」（１６０９）、あるジョブの印刷順序を１つ早くする「１つ上に移動」（１６１０）、あるジョブの印刷順序を１つお則する「１つ下に移動」（１６１１）、あるジョブの印刷順序を最後にする「最後に移動」（１６１２）の以上１２個の操作がある。
【００５４】
スプールファイルマネージャのウインドウ画面（図１６）上で、ある単体ジョブもしくは結合ジョブのプレビュー指定がされた場合、外部メモリ１１に格納されているプレビューア３０６をＲＡＭ２にロードし、プレビューア３０６に対して、スプールファイル３０３に記述された中間コードのジョブのプレビュー処理を行うように指示する。
【００５５】
プレビューア３０６はスプールファイル３０３に含まれる中間コードのページ描画ファイル（ＰＤＦ）を順次読み出し、スプールファイル３０３に格納されているジョブ設定ファイル（ＳＤＦ）に含まれる加工設定情報の内容に従って加工し、グラフィックエンジン２０２に対してＧＤＩ関数を出力し、グラフィックエンジン２０２が自身のクライアント領域に描画データを出力することによって、画面上の出力が可能となる。
【００５６】
グラフィックエンジン２０２は、指定された出力先に応じて適切なレンダリングを行うことが可能である。このことから、プレビューア３０６は、デスプーラ３０５同様に、スプールファイル３０３に含まれる中間コードをスプールファイル３０３に含まれる加工設定情報の内容に従って加工し、グラフィックエンジン２０２を利用して出力することが可能となる。このようにプリンタドライバで設定されている加工設定情報をジョブ設定ファイルとしてスプールファイル３０３に格納し、このジョブ設定ファイルに基づいてページ描画ファイルのデータを加工して出力することにより、実際の描画データがどのように印刷されるか、更には、Ｎｕｐ（Ｎページの論理ページを１ページの物理ページに縮小配置して印刷する処理）指定されている場合、両面印刷されている場合、製本印刷指定されている場合、スタンプが指定されている場合、それぞれに応じて、プリンタで出力されるものに近い印刷プレビューをユーザに提供することができる。
【００５７】
上記のようにプレビュー処理を行うことにより、図１７のようにスプールファイル３０３に含まれる印刷の加工設定の大プレビューがプレビューア３０６によって画面上に表示される。ユーザの非表示指示があれば、プレビューア３０６がクローズされ、制御がスプールファイルマネージャのウインドウ画面（図１６）に移行する。そして、ユーザがプレビューア３０６によって表示された内容に従って、印刷を行うならば、スプールファイルマネージャ３０４上で、「印刷」もしくは「セーブして印刷」を指示することにより印刷要求を発行する。印刷要求は前述したように、デスプーラ３０５によりジョブ設定ファイルに基づいてページ描画ファイルを加工してＧＤＩ関数を生成し、グラフィックエンジン２０２に伝えられ、ディスパッチャ３０１経由で、プリンタドライバ２０３に印刷命令が送られ、印刷が実行される。
【００５８】
次に、設定変更エディタ３０７を用いた設定変更について説明する。その実現方法としては、プレビュー機能の実行と同様、図９において「ストア（Ｓｔｏｒｅ）」指定されたジョブに関して設定することが可能である。同様のフローによりスプールファイルマネージャ３０４がポップアップされ、スプールされたジョブがリスト表示される。スプールファイルマネージャのウインドウ画面（図１６）上で、「ジョブ編集」（１６０８）が指定され、設定変更の指示が入力された場合、外部メモリ１１に格納されている設定変更エディタ３０７をＲＡＭ２にロードし、設定変更エディタ３０７に対して、現在またはデフォルトの加工設定の表示を行うように指示する。そして図１８のようなジョブ設定画面が表示される。
【００５９】
設定変更エディタ３０７は、「ジョブ編集」（１６０８）が指定されたジョブのジョブ設定ファイルをスプールファイル３０３から取得し、そのジョブ設定ファイルに指定されている設定項目に基づいて図１８のジョブ設定画面のデフォルト値を変更する。図１８に示す例では、「ジョブ編集」（１６０８）が指定されたジョブのジョブ設定ファイルには、部数：１部、印刷方法：片面、ステイプル：なし、レイアウト：１ページ／枚等が指定されていることになる。
【００６０】
この設定変更エディタ３０７でもスプールファイル３０３に含まれる中間コードのページ描画ファイルをスプールファイル３０３に格納されているジョブ設定ファイルに含まれる加工設定の内容に従って加工し、グラフィックエンジン２０２を用いて自身のクライアント領域に出力することによって、図１８に示す画面上の小プレビュー出力が可能となる。
【００６１】
また、ここで、スプールファイル３０３に格納されているジョブ設定ファイルに含まれる加工設定の内容を変更、修正することが可能である。その際、プリンタドライバ２０３の設定可能な項目を設定変更エディタ３０７上のユーザインターフェイスに持っていても、プリンタドライバ２０３自身のユーザインターフェイスを呼び出しても構わない。図１８に示すように、部数、印刷方法（片面、両目、製本印刷）、ステイプル（サドルフィニッシャー等）、ページレイアウト、配置順等の指定ができ、また「詳細設定」を押下することにより、プリンタドライバで指定できる項目の大半を設定しなおすことが可能となる。
【００６２】
ここで変更された変更項目は設定変更エディタ３０７上の認証要求に従い、変更が認証され、制御がスプールファイルマネージャ３０４に移行する。変更が認証されたものは、印刷設定の変更を保存することになるが、オリジナルのジョブ設定ファイルには保存せずに、ジョブ編集等で用いられるジョブ出力用設定ファイルを新たに生成して保存することになる。ジョブ出力用設定ファイルについての詳細は、図１０以降で詳細に説明する。
【００６３】
また、印刷モード自動切り替え時は、再度印刷モード判定モジュール３０８を用いて設定変更後の物理ページの印刷モード判定を行い、物理ページの印刷モードを決定する。そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００６４】
また、スプールファイルマネージャのウインドウ画面（図１６）では、複数の印刷ジョブを結合し、一つの印刷ジョブとして印刷するように指定することが可能である。これも、プレビュー、設定変更同様、図９のプリンタドライバのプロパティにおいて出力先を「ストア（Ｓｔｏｒｅ）」指定されたジョブが前提となる。
【００６５】
ユーザが印刷ジョブの結合を行う場合、まず、アプリケーション２０１からプリンタドライバ２０３を呼び出し、図９に示すようなユーザインターフェイス上からストア（Ｓｔｏｒｅ）を選択する。同様、この選択により、スプールファイル３０３にストアされ、図１６のようにスプールファイルマネージャのウインドウ画面（図１６）がポップアップされる。スプールされたジョブはスプールファイルマネージャのウインドウ上にリスト表示される。アプリケーション２０１から同様の操作をすることにより、スプールファイルマネージャ３０４上に複数ジョブのリスト表示がされることになる。
【００６６】
ここで、複数ジョブを選択し、「結合」（１６０６）が指定された場合、外部メモリ１１に格納されている設定変更エディタ３０７をＲＡＭ２にロードし、設定変更エディタ３０７に対して、リスト上の先頭ジョブまたはデフォルトの加工設定の表示を行うように指示する。そして図１８のような結合設定画面が表示される。ここでは、設定変更エディタ３０７を結合設定画面として用いているが、別モジュールのものを用いても構わない。
【００６７】
この設定変更エディタ３０７は、スプールファイル３０３に含まれる中間コードのページ描画ファイルをスプールファイル３０３に格納されているジョブ設定情報に含まれる加工設定の内容に従って加工し、結合ジョブとして指定されたすべてのジョブに対して、グラフィックエンジン２０２を用いて自身のクライアント領域に出力することによって、画面上の出力を行う。その際、図１８に示すプレビュー領域に選択された全てのジョブの小プレビューが可能となる。
【００６８】
また、結合ジョブを生成する際に、それぞれの単体ジョブのジョブ設定ファイルを拡張したジョブ出力用設定ファイルを生成する。このジョブ出力用設定ファイルは、ジョブ編集を行う際にも生成されるものであり、１つのジョブに対して１つできるものであり、結合ジョブの場合もまた１つ生成される。
【００６９】
ここでは、それぞれのジョブに対して、結合する前の加工設定で表示することも、結合ジョブとして統一の加工設定に変更、修正して表示することも可能である。その際、プリンタドライバ２０３の設定可能な項目を設定変更エディタ３０７上のユーザインターフェイスに持っていても、プリンタドライバ２０３自身のユーザインターフェイスを呼び出しても構わない。
【００７０】
ここで結合されたジョブ及び変更された変更項目は、前述したように、設定変更エディタ３０７上の認証要求に従い、変更が認証され、制御がスプールファイルマネージャ３０４に移行する。これらの操作により、先に選択された複数ジョブは、スプールファイルマネージャのウインドウ上で一つの結合ジョブとして表示される。
【００７１】
そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００７２】
図４は、プリンタ１５００の一例である両面印刷機能を有するカラーレーザプリンタの断面図である。このプリンタはホストコンピュータ３０００より入力した印刷データに基づいて得られる各色毎の画像データで変調されたレーザ光をポリゴンミラー３１により感光ドラム１５を走査して静電潜像を形成する。そして、この静電潜像をトナー現像して可視画像を得、これを中間転写体９へ全色について多重転写してカラー可視画像を形成する。そして更に、このカラー可視画像を転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００７３】
ドラムユニット１３は、感光ドラム（感光体）１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易にユニット交換可能に構成されている。上記感光ドラム１５はアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を選択的に露光させることにより静電潜像が形成されるように構成されている。スキャナ部３０では、変調されたレーザ光を、モータ３１ａにより画像信号の水平同期信号を同期して回転するポリゴンミラーにより反射し、レンズ３２、反射鏡３３を介して感光ドラムを照射する。
【００７４】
現像部は、上記静電潜像を可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリープ２０ＹＳ、２０ＭＳ、２０ＣＳ及び２１ＢＳと、これらスリープ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また３個のカラー現像器２０Ｙ、２０Ｍ、２０Ｃには塗布ローラ２０ＹＲ、２０ＭＲ、２０ＣＲが設けられている。
【００７５】
また、ブラック現像器２１Ｂはプリンタ本体に対して着脱可能に取り付けられており、カラー現像器２０Ｙ、２０Ｍ、２０Ｃは回転軸２２を中心に回転する現像ロータリー２３にそれぞれ着脱可能に取り付けられている。
【００７６】
ブラック現像器２１Ｂのスリープ２１ＢＳは感光ドラム１５に対して例えば３００μｍ程度の微小間隔を持って配置されている。ブラック現像器２１Ｂは、器内に内蔵された送り込み部材によってトナーを搬送すると共に、時計回り方向に回転するスリープ２１ＢＳの外周に塗布ブレード２１ＢＢによって塗布するように摩擦帯電によってトナーへ電荷を付与する。また、スリープ２１ＢＳに現像バイアスを印加することにより、静電潜像に応じて感光ドラム１５に対して現像を行って感光ドラム１５にブラックトナーによる可視画像を形成する。
【００７７】
３個のカラー現像器２０Ｙ、２０Ｍ、２０Ｃは、画像形成に際して現像ロータリー２３の回転に伴って回転し、所定のスリープ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００７８】
カラー画像形成時には、中間転写体９の１回転毎に現像ロータリー２３が回転し、イエロー現像器２０Ｙ、マゼンダ現像器２０Ｍ、シアン現像器２０Ｃ、次いでブラック現像器２１Ｂの順で現像工程がなされ、中間転写体９が４回転してイエロー、マゼンダ、シアン、ブラックのそれぞれのトナーによる可視画像を順次形成し、その結果フルカラー可視画像を中間転写体９上に形成する。
【００７９】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を挟持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００８０】
転写ローラ１０は、感光ドラム１５に対して接離可能に支承された転写帯電器を備えたもので、金属軸を中抵抗発泡弾性体により巻回することによって構成されている。
【００８１】
転写ローラ１０は、図４に実線で示すように中間転写体９上にカラー可視画像を多重転写している間は、カラー可視画像を乱さぬように下方に離開している。そして、上記中間転写体９上に４色のカラー可視画像が形成された後は、このカラー可視画像を転写材２に転写するタイミングに合わせてカム部材（不図示）により転写ローラ１０を図示点線で示す上方に位置させる。これにより転写ローラ１０は転写材２を介して中間転写体９に所定の押圧力で圧接すると共に、バイアス電圧が印加され、中間転写体９上のカラー可視画像が転写材２に転写される。
【００８２】
定着部２５は、転写２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。
【００８３】
可視画像定着後の転写材２は、その後排紙ローラ３４、３５、３６によって排紙部３７へ排出して画像形成動作を終了する。
【００８４】
クリーニング手段は、感光ドラム１５上及び中間転写体９上に残ったトナーをクリーニングするものであり、感光ドラム１５上に形成されたトナーによる可視画像を中間転写体９に転写した後の廃トナーあるいは、中間転写体９上に作成された４色のカラー可視画像を転写材２に転写した後の廃トナーは、クリーナ容器１４に蓄えられる。
【００８５】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が上方の排紙部に記録用紙を導くように搬送経路を形成するが、両面印刷に対しては、下方の両面ユニットに導くように経路を形成する。
【００８６】
両面ユニットに導かれた記録用紙は、搬送ローラ４０によりトレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００８７】
図５は、スプーラ３０２における、スプールファイル３０３を生成するページ単位の保存処理を説明するフローチャートである。
【００８８】
まず、ステップ５０１において、スプーラ３０２は、アプリケーション２０１からグラフィックエンジン２０２を介して印刷要求を受け付ける。アプリケーション２０１においては、図８に示すような印刷設定を入力するダイアログが表示され、このダイアログから入力された印刷設定がプリンタドライバよりスプーラ３０３に渡される。図８に示す印刷設定入力ダイアログにおいては、Ｐａｇｅ  ＬａｙｏｕｔやＰａｇｅＯｒｄｅｒで設定可能な１物理ページにレイアウトする論理ページの数を決定するような設定項目等を含んでいる。
【００８９】
ステップ５０２では、スプーラ３０２は、受け付けた印刷要求がジョブ開始要求か判定し、もしステップ５０２でジョブ開始要求であると判断した場合（ステップ５０２−ＹＥＳ）には、ステップ５０３に進み、スプーラ３０２は中間データを一時的に保存するためのスプールファイル３０３を作成する。続いて、ステップ５０４では、スプーラ３０２は、スプールファイルマネージャ３０４へ印刷処理の進捗を通知し、続くステップ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００９０】
一方、ステップ５０２において、ジョブ開始要求ではなかったと判断した場合（ステップ５０２−ＮＯ）には、ステップ５０６に進む。
【００９１】
ステップ５０６では、スプーラ３０２は、受け付けた要求がジョブ終了要求かどうかの判別を行う。ジョブ終了要求でないと判断した場合（ステップ５０６−ＮＯ）には、ステップ５０７に進み、改ページかどうかの判別を行う。もしもステップ５０７で改ページであると判断した場合（ステップ５０７−ＹＥＳ）には、ステップ５０８に進み、スプールファイルマネージャ３０４へ印刷処理の進捗を通知する。そしてページ数カウンタをインクリメントして、中間コードを格納しているページ描画ファイルを閉じ、次のページ描画ファイルを生成する。
【００９２】
ステップ５０７において、受け付けた印刷要求が改ページではないと判断した場合（ステップ５０７−ＮＯ）には、ステップ５０９に進み、スプーラ３０２は、ページ描画ファイルへの中間コードの書き出しの準備を行う。
【００９３】
次に、ステップ５１０では、印字要求をスプールファイル３０３へ格納するため、スプーラ３０２は印字要求のＤＤＩ関数を中間コードへ変換する処理を行う。そして、ステップ５１１において、スプーラ３０２はステップ５１０において格納可能な形に変換された印刷要求（中間コード）をスプールファイル３０３のページ描画ファイルへ書き込む。その後、ステップ５０１に戻り、再びアプリケーションからの印刷要求を受け付ける。この一連のステップ５０１からステップ５１１までの処理を、アプリケーションよりジョブ終了要求（Ｅｎｄ  Ｄｏｃ）を受け取るまで続ける。
【００９４】
また、スプーラ３０２は、同時にプリンタドライバ２０３からＤＥＶＭＯＤＥ構造体に格納されている加工設定等の情報を取得し、ジョブ設定ファイルとしてスプールファイル３０３に格納する。一方、ステップ５０６にて、アプリケーションからの印刷要求がジョブ終了であると判断した場合には、アプリケーションからの印刷要求は全て終了であるので、ステップ５１２に進み、スプールファイルマネージャ３０４へ印刷処理の進捗を通知し、処理を終える。
【００９５】
印刷モード自動切り替え時はステップ５１０の際に、印刷モード判定モジュール３０８に中間コード化した描画内容を通知して、ページ内の構成描画要素を収集し、ステップ５０８でそのページの印刷モードの判定結果をスプールファイル３０３に書き込む。
【００９６】
図６は、スプールファイルマネージャ３０４における、スプールファイル３０３の生成プロセスと以降説明する印刷データ生成プロセスの間での制御の詳細を説明するフローチャートである。
【００９７】
ステップ６０１では、スプールファイルマネージャ３０４は、スプーラ３０２あるいはデスプーラ３０５からの印刷処理の進捗通知を受け付ける。
【００９８】
ステップ６０２では、スプールファイルマネージャ３０４は、もし進捗通知が前述のステップ５０４（図５）において通知されるスプーラ３０２からの印刷開始通知であるかどうか判定し、もしそうであれば（ステップ６０２−ＹＥＳ）、ステップ６０３へ進み、印刷の加工設定を行なうためのデータをスプールファイル３０３から読み込み、ジョブの管理を開始する。
【００９９】
一方、ステップ６０２において、スプーラ３０２からの印刷開始通知でなければ（ステップ６０２−ＮＯ）、ステップ６０４へ進み、スプールファイルマネージャ３０４は、進捗通知が前述のステップ５０８（図５）において通知されるスプーラ３０２からの１論理ページの印刷終了通知であるかどうか判定する。ここで１論理ページの印刷終了通知であれば（ステップ６０４−ＹＥＳ）、処理をステップ６０５へ進ませ、この論理ページに対する論理ページ情報を格納する。そして、続くステップ６０６では、この時点でスプールが終了したｎ論理ページに対して、１物理ページの印刷が開始できるかを判定する。ここで、印刷可能である場合（ステップ６０６−ＹＥＳ）はステップ６０７へ進み、印刷する１物理ページに対して割り付けられる論理数から物理ページ番号を決定する。
【０１００】
物理ページの計算については、例えば、加工設定データが１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。
【０１０１】
また、論理ページ数の総数が１物理ページに配置する論理ページ数の倍数でなくても、ステップ５１２におけるスプール終了通知によって１物理ページに配置する論理ページが決定可能である。
【０１０２】
そして、ステップ６０８では、図１０に示すような形式で、印刷可能となった物理ページを構成する論理ページ番号と、その物理ページ番号などの情報がジョブ出力用設定ファイル（物理ページ情報を含むファイル）に保存され、物理ページ情報が１物理ページ分追加されたことがデスプーラ３０５に通知される。その後ステップ６０１に戻り、次の通知を待つ。本実施形態においては、印刷データ１ページ、即ち１物理ページを構成する論理ページがスプールされた時点で印刷ジョブのスプールが全て終了していなくても印刷処理は可能である。
【０１０３】
一方、ステップ６０４において、進捗通知がスプーラ３０２からの１論理ページの印刷終了通知でなかった場合（ステップ６０４−ＮＯ）、ステップ６０９へ進み、スプールファイルマネージャ３０４は、前述のステップ５１２（図５）において通知されるスプーラ３０２からのジョブ終了通知であるかどうかを判定する。ここで、ジョブ終了通知である場合（ステップ６０９−ＹＥＳ）、前述のステップ６０６へ処理を進める。一方、ジョブ終了通知でない場合（ステップ６０９−ＮＯ）、ステップ６１０へ進み、スプールファイルマネージャ３０４は、受け付けた通知がデスプーラ３０５からの１物理ページの印刷終了通知であるかどうか判定する。
【０１０４】
ここで、１物理ページの印刷終了通知である場合（ステップ６１０−ＹＥＳ）はステップ６１１へ進み、加工設定データに基づく印刷が全て終了したかを判定する。印刷が終了した場合（ステップ６１１−ＹＥＳ）、ステップ６１２へ進み、デスプーラ３０５に印刷終了の通知を行う。
【０１０５】
一方、加工設定に対する印刷がまだ終了していないと判断した場合（ステップ６１１−ＮＯ）、前述のステップ６０６へ処理を進める。本実施形態におけるデスプーラ３０５は印刷処理を行う単位として１物理ページ数を想定している。また、ステップ６０８では、１物理ページの印刷処理を行うのに必要な情報をファイルに逐次保存し、再利用可能な形式にしているが、再利用不要な場合には、共有メモリ等高速な媒体を使用し、１物理ページ単位で次々と上書きする実装にして、速度とリソースを節約するような実装形式であってもよい。
【０１０６】
また、デスプールの進捗よりもスプールの進捗の方が早い場合や全ページのスプール終了後からデスプールが開始されるような場合には、ステップ６０８で１物理ページ毎にページ印刷可能を通知せずに、デスプール側の進捗に応じて、複数物理ページもしくは全物理ページが印刷可能になったという通知内容にして、通知回数を節約することが可能である。
【０１０７】
ステップ６１０において、通知がデスプーラ３０５からの１物理ページの印刷終了通知でないと判断された場合（ステップ６１０−ＮＯ）、ステップ６１３へ進み、スプールファイルマネージャ３０４は、デスプーラ３０５からの印刷終了通知かどうかを判定する。通知がデスプーラ３０５からの印刷終了通知と判定された場合（ステップ６１３−ＹＥＳ）、ステップ６１４へ進み、スプールファイルマネージャ３０４は、スプールファイル３０３の該当するページ描画ファイルの削除を行い処理を終える。ただし、一方、デスプーラ３０５からの印刷終了通知でなかった場合（ステップ６１３−ＮＯ）は処理をステップ６１５に進め、エラー処理を実行する。この場合、先のデータの受信に対する処理を行なわずに、その他通常処理を実行し、あるいは、次の通知が入力されるのを待機する。
【０１０８】
図７は、デスプーラ３０５における、印刷データの生成プロセスの詳細を説明するフローチャートである。
【０１０９】
デスプーラ３０５は、スプールファイルマネージャ３０４からの印刷要求に応じて、スプールファイル３０３から必要な情報（ページ描画ファイルおよびジョブ設定ファイル）を読み出して印刷データを生成する。生成された印刷データにおけるプリンタへの転送方法については図３で説明したとおりである。
【０１１０】
印刷データの生成では、まず、ステップ７０１において、前述のスプールファイルマネージャ３０４からの通知を入力する。続くステップ７０２では、デスプーラ３０５は、入力された通知がジョブの終了通知かどうか判定し、ジョブ終了通知であるならば（ステップ７０２−ＹＥＳ）、ステップ７０３へ進み、終了フラグを立て、ステップ７０５へ進む。
【０１１１】
一方、ステップ７０２においてジョブ終了通知でない場合（ステップ７０２−ＮＯ）は、ステップ７０４に進み、前述のステップ６０８における１物理ページの印刷可能通知が通知されたか否かを判定する。ステップ７０４において印刷可能と判定されなかった場合（ステップ７０４−ＮＯ）は、ステップ７１０へ進み、その他エラー処理を行い、ステップ７０１へ戻り次の通知を待つ。
【０１１２】
一方、ステップ７０４において１物理ページの印刷可能通知と判定された場合（ステップ７０４−ＹＥＳ）は、ステップ７０５へ進み、デスプーラ３０５は、ステップ７０４で通知を受けた印刷処理可能な物理ページのＩＤを保存する。続くステップ７０６では、デスプーラ３０５は、ステップ７０５で保存した物理ページＩＤのすべてのページに関して印刷処理が済んでいるかどうか判定する。ここで全物理ページの処理が済んでいる場合（ステップ７０６−ＹＥＳ）は、ステップ７０７へ進み、前述のステップ７０３で終了フラグが立てられているのか否かを判定する。終了フラグが立っている場合（ステップ７０７−ＹＥＳ）は、ジョブの印刷が終了したとみなし、デスプーラ３０５の処理終了の通知をスプールファイルマネージャ３０４に通知し、処理を終える。
【０１１３】
ステップ７０７で、終了フラグが立っていないと判定された場合（ステップ７０７−ＮＯ）は、ステップ７０１へ戻り次の通知を待つ。
【０１１４】
一方、ステップ７０６で、印刷可能な物理ページが残っていると判定された場合（ステップ７０６−ＮＯ）には、ステップ７０８へ進み、デスプーラ３０５は、保存された物理ページＩＤから未処理の物理ページＩＤを順に読み出し、読み出した物理ページＩＤに対応する物理ページの印刷データ生成に必要な情報を読み込み、印刷処理を行う（ステップ７０８）。印刷処理はスプールファイル３０３に格納された印刷要求命令をデスプーラ３０５においてグラフィックエンジン２０２が認識可能な形式（ＧＤＩ関数）に変換し、転送する。本実施形態のような、複数論理ページを１物理ページにレイアウトするような加工設定（以下Ｎページ印刷）については、このステップで縮小配置を考慮にいれながら変換する。必要な印刷処理が終えたならば、続くステップ７０９において１物理ページの印刷データ生成終了の通知をスプールファイルマネージャ３０４に対して行う。そして再びステップ７０６へ戻り、ステップ７０５で保存しておいた印刷可能な物理ページＩＤすべてについて印刷処理を行うまで繰り返す。
【０１１５】
以上が、ディスパッチャ３０１、スプーラ３０２、スプールファイルマネージャ３０４、デスプーラ３０５を用いた印刷処理の流れである。上記のように処理することにより、スプーラ３０２が中間コードを生成してスプールファイル３０３に格納するタイミングでアプリケーション２０１が印刷処理から開放されるので、プリンタドライバ２０３に直接出力するよりも短時間で済む。また、スプールファイル３０３にプリンタドライバの印刷設定を踏まえた中間ファイル（ページ描画ファイル、ジョブ設定ファイル）として一時保存しているので、実際に印刷されるべき印刷プレビューをユーザに認識させることや、複数のアプリケーションにより生成した印刷ジョブの結合や並び替えが可能となり、印刷設定の変更を行う場合にも、再度アプリケーションを立ち上げて印刷をすることなしにユーザに行わせることを可能とする。
【０１１６】
ここで、スプーラ３０２を用いた印刷処理において、デスプーラ３０５によりグラフィックエンジン２０２への印刷要求時にジョブ出力用設定ファイルが生成されるが、プレビューやジョブ結合等を行う場合もジョブ出力用設定ファイルが生成される。ジョブ出力用設定ファイルは、単体ジョブの場合はジョブ設定ファイルと同等のものであり、結合ジョブの場合は複数のジョブ設定情報に基づいて生成されるものである。ここでジョブ出力用設定ファイルについて説明する。
【０１１７】
図１０は、図６のステップ６０８において、スプールファイルマネージャ３０４が生成する印刷可能となった物理ページを構成する情報を保存するジョブ出力用設定ファイルの例を示す図である。フィールド１００１は、ジョブを識別するためのＩＤで、本情報を保存しているファイル名や共有メモリの名称という形で保持することも可能である。フィールド１００２はジョブ設定情報である。ジョブ設定情報には、グラフィックエンジン２０２に対してジョブの印刷を開始するために必要な構造体、Ｎページ印刷の指定、ページ枠などの追加描画の指定、部数、ステイプルなどのフィニッシング指定など、１つのジョブに対して１つしか設定できない情報が含まれている。ジョブ設定情報１００２には、ジョブに対する機能に応じて必要なだけ情報が保存される。フィールド１００３はジョブの物理ページ数で、本フィールド以降、この数の分だけ物理ページ情報が保存されていることを示す。本実施例では、印刷可能な物理ページ数を通知する方式であるので、このフィールドは無くても動作可能である。これ以降、フィールド１００４から最後までフィールド１００３の数だけ物理ページ情報が格納される。物理ページ情報については図１２で説明する。
【０１１８】
図１１は、図１０のフィールド１００２に図示されたジョブ設定情報の一例である。フィールド１１０１は全物理ページ数である。フィールド１１０２は、全論理ページ数である。フィールド１１０１および１１０２は、印刷データに追加して、ページ数などを付加情報として印刷する場合などに利用する。印刷が続いている際には、両フィールドは暫定的な値、もしくは、印刷が終了するまでスプールファイルマネージャ３０４は印刷可能な物理ページの情報の作成を延期する。フィールド１１０３は本印刷ジョブを何部印刷するかを指定する部数情報である。フィールド１１０４は、フィールド１１０３で複数部印刷する設定の場合、部単位で印刷するかどうかの指定である。フィールド１１０４はステイプル、パンチ、Ｚ折などのフィニッシング情報で、プリンタ本体もしくは外部にフィニッシャーがある場合に指定される。フィールド１１０６は付加印刷情報で、ページ枠などの飾り、日付などの付加情報、ユーザ名、ページ数、ウォーターマーク印刷等、ジョブに対して付加する情報が保存される。機能が増えるに従って本ジョブ設定情報に含まれるフィールドの数も増加し、例えば、両面印刷が可能な場合は、両面印刷の指定を保存するフィールドが追加される。
【０１１９】
図１２は、図１０のフィールド１００４に図示された物理ページ情報の一例を示す図である。最初のフィールド１２０１は物理ページ番号で、印刷順序の管理や、物理ページ番号を追加印刷する際に使用される値である。フィールド１２０２は物理ページ設定情報で、物理ページ毎にレイアウトや印刷モード（カラー・モノクロを含む）の指定が可能である場合、レイアウトや印刷モードの設定が保存される。
【０１２０】
フィールド１２０３は本物理ページに割り付けられる論理ページ数で、１物理ページに４ページを割り付ける場合には４もしくは４ページ印刷を示すＩＤが保存される。フィールド１２０４以降はフィールド１２０３で指定された数だけ論理ページの情報が保存される。アプリケーション２０１から印刷されたページ数によっては、１２０３で指定されるページ数よりも実際のページデータ数が少なくなる場合がある。その場合には、論理ページ情報に空ページを示す特別なデータを保存して対応する。
【０１２１】
図１３は、図１２の物理ページ設定情報１２０２の例を示す図である。フィールド１３０１は物理ページ上への論理ページの配置順で、Ｎページ印刷で、物理ページ上に論理ページを配置する順番（左上から横へ、左上から下へ等）の指定が保存されている。システムによっては、配置順ではなく、フィールド１２０４以降の論理ページ情報の順番をページ番号順ではなく、配置順に応じた順序で配することで１３０１の設定を代用する場合もある。
【０１２２】
フィールド１３０２は両面印刷の表・裏の情報で、例えば綴じ代を表裏でそろえる際に使用される。フィールド１３０３は印刷モード情報を保持する。ＰＤＬ、デバイスイメージ、ＲＧＢ２４ＢＰＰイメージ等の各種印刷モードを保持する他に、カラーページかモノクロページかの指定も保持する。プリンタがモノクロモードとカラーモードを持つ場合、カラーページとモノクロページが混在する文書で、カラーページをカラーモードで、モノクロページをモノクロモードで印刷したい場合などに使用される。
【０１２３】
この情報を持つことにより、オートカラーモードとして、ページ単位にカラープリンタで処理を変更することが可能となる。つまり、カラーページは、中間転写体（中間転写ドラム、中間転写ベルト）もしくは転写体（転写ドラム、転写ベルト）がデバイスカラーの数分、ＹＭＣＫなら４回転し、モノクロページは、ブラックだけ１回転することにより転写制御することを可能とする。フィールド１３０４は付加印刷情報で、物理ページに対して、ページ数や、日付などの付加情報を印刷する場合に使用される。物理ページ設定情報も、システムの機能に応じてフィールドが追加される。
【０１２４】
図１４は、図１２の論理ページ情報１２０４の一例を示す図である。フィールド１４０１は論理ページのＩＤで、このＩＤを利用して、スプールファイル３０３から論理ページに対応するページ描画ファイルの中間コードを参照する。このＩＤを利用して論理ページの中間コードへアクセス可能であれば良く、ファイルやメモリポインタであっても、論理ページを構成する中間コード自身が入っていてもよい。フィールド１４０２は論理ページ番号で論理ページ番号を付加情報として印刷する場合や、論理ページＩＤの補助情報に使用される。
【０１２５】
フィールド１４０３のフォーマット情報には、論理ページ単位で指定可能である各種設定項目が保存される。例えば、ページ枠などの付加印刷情報、拡縮率などの論理ページ単位に指定される各種設定の情報が保存される。また、必要であれば、論理ページ単位のカラー・モノクロ情報などの論理ページに対する属性情報を保存する事も可能である。逆に、論理ページ単位で設定を切りかえる事や論理ページ単位での属性情報が不要であるようなシステムでは、フィールド１４０３は不要である。
【０１２６】
ジョブ出力用設定ファイルは、上記のように構成されている。なお、ジョブ設定ファイルもほぼ同様であり、印刷体裁（片面、両面、製本印刷）、印刷レイアウト（Ｎｕｐ、ポスター印刷）、付加情報（ウォーターマーク、日付、ユーザ名の付加）、部数、用紙サイズ情報がジョブとして有しており、物理ページ毎に、論理ページの配置順、両面印刷の表面か、裏面か、カラーモード等から構成されている。
【０１２７】
更に、図３では、これまで説明した拡張システムに加えて、ジョブの設定変更機能を持つ設定変更エディタ３０７を配した例を示している。本実施形態ではジョブの設定内容は、単体ジョブは、ジョブ設定ファイルに、また結合ジョブは、図１０に示したジョブ出力用設定ファイル中に含まれており、中間コードを保存しているページ描画ファイル３０３とは独立しているため、ジョブ出力用設定ファイルを作り変えることでジョブの設定変更が可能である。設定変更エディタ３０７は単独で、あるいはスプールファイルマネージャ３０４と連携して、ジョブ出力用設定ファイルを作り変え、あるいは、一部を書き換えることでジョブの設定変更機能を実現している。
【０１２８】
図１５は、設定変更エディタ３０７におけるジョブ設定変更処理プロセスの詳細を説明するフローチャートである。
【０１２９】
まずステップ１５０１では、設定変更エディタは、ジョブ設定ファイルもしくはジョブ出力用設定ファイルを読み込む。ジョブ出力用設定ファイルはプレビューア３０５、デスプーラ３０３が読み込むものと同じファイルである。次に、ステップ１５０２へ進み、読み込んだ結果を、ユーザに表示する。ステップ１５０３で、図１８に示したようなユーザインターフェイス上で、ユーザとの対話を行い、前述したメニューの指定等により設定内容を変更する。このステップは、対話形式でなく、ファイルなどに書きこまれた設定変更の内容に応じて変更するバッチ形式でもよい。
【０１３０】
次にステップ１５０４へ進み、ステップ１５０１で設定変更エディタは、最初に読み込んだ内容と、現在指定されている設定内容に変更があったかどうかの判定を行う。設定内容に変更が合った場合（ステップ１５０４−ＹＥＳ）は、ステップ１５０５へ進み、新規のジョブ出力用設定ファイルを生成し、変更があったことをスプールファイルマネージャに通知して終了する。
【０１３１】
印刷モード自動切り替え時は設定の変更が生じた際はステップ１５０５で、再度印刷モード判定モジュール３０８で物理ページ毎の印刷モードを判定し、判定結果を印刷モード情報１３０３に格納する。ステップ１５０４で、変更がないと判定された場合（ステップ１５０４−ＮＯ）は、変更がなかったことをスプールファイルマネージャに通知して終了する。
【０１３２】
このように設定変更があった場合は、新規のジョブ出力用設定ファイルを生成するが、図１８のユーザインターフェイス画面において、「ＯＫ」ボタン１８０１が選択されることにより、新規のジョブ出力用設定ファイルが有効となり、古いジョブ出力用設定ファイルは削除される。また、ジョブ出力用設定ファイルからの変更ではなく、単体ジョブのジョブ設定ファイルの場合は削除せずに保存しておくことができる。
【０１３３】
また、図１８の画面で「初期状態に戻す（Ｒｅｓｔｏｒｅ  Ｄｅｆａｕｌｔｓ）」ボタン１８０２が選択された場合は、新規のジョブ出力用設定ファイルを削除し、古いジョブ出力用設定ファイルが有効となり、表示に反映させることができる。本実施形態では、設定変更エディタ３０７を別モジュールとして説明しているが、単にスプールファイルマネージャ３０４のユーザインターフェイスの一部であってもよい。設定変更エディタ３０７で実際に変更内容をジョブ出力用設定ファイルに書きこまずに、設定変更の内容のみをスプールファイルマネージャ３０４へと通知するだけで、実際のジョブ出力用設定ファイルの変更はスプールファイルマネージャ３０４側で行う実装形式でもよい。
【０１３４】
図３では、更に、複数の印刷ジョブを結合し、一つの印刷ジョブとして印刷する拡張システムが図示されているが、結合ジョブをデスプール・プレビューするための拡張について説明する。
【０１３５】
通常、中間形式のスプールファイル３０３はジョブ単位で作成される。単独ジョブの場合は、処理対象ジョブファイル中の各論理ページの中間コードを順に読み出して処理を行うので、フィールド１４０１の論理ページＩＤは、各論理ページがファイルのどこに位置しているのかを示す相対あるいは絶対オフセットで実現可能である。結合ジョブの場合はフィールド１４０１のジョブＩＤから、スプールファイルと、そのジョブに属するページ情報を特定する必要がある。本実施形態では、スプールファイルを識別するＩＤを論理ページＩＤに付加することで、スプールファイルを特定する方式とする。この場合、主な変更点はフィールド１４０１のみで済む。スプールファイルが識別できれば、ページ部分の読み込みは単独ジョブの処理と同じロジックで処理することが可能であるからである。また、スプールファイルが各論理ページ毎に別ファイルの形で保存されている場合は、論理ページのファイル名をそのままフィールド１４０１の論理ページＩＤとする実装形もある。
従来例との比較の便宜のため、図２０にプレビューアに関するグラフィックスユーザインターフェース（ＧＵＩ）画面を、そして図２１に設定変更エディタに関するＧＵＩ画面を示す。
【０１３６】
本実施形態にかかるプレビューア３０６（図１７）が表示するページごとのプレビュー画面右端には、印刷モードを特定するための文字表示が表示され、図２０とはこの点において相違する。また、設定変更エディタ３０７（図１８）が表示するページレイアウト表示の下地部分（１８０３、１８０４）の色（例えば、ＰＤＬモードは灰色、ＩＭＧモードは白）を印刷モードごとに、ページ単位に切り替えて表示することにより、ユーザにその情報を分かり易く可視化することが可能になる。図２１は、印刷モードに応じた下地部分の表示の切り替えが無い点において、相違する。
【０１３７】
この印刷モードの表示は図１３で表される物理ページ設定情報１２０２中の印刷モード１３０３情報に基づくものであり、ユーザに対してページ毎の印刷モードを識別することを可能にする。
【０１３８】
図１８の設定変更エディタ３０７の表示において、選択メニュー”ＳｅｌｅｃｔＭｏｄｅ”（１８０５）であらわしたページ毎の印刷モードの変更ボタンは従来のグラフィックスユーザインターフェースには存在しなかった。このメニューを用いてユーザにより選択された印刷モードを図１３で表される物理ページ設定情報１２０２中の印刷モード情報１３０３に反映させることが可能になる。このプレビュー中における印刷モードの変更は先に説明した図７のステップ７０８の印刷処理時に適用される出力される。
【０１３９】
以上説明したように、本実施形態によれば、ページ毎に選択されている印刷モードの表示と、そのページ毎に選択されている印刷モードの変更を可能にし、その変更した印刷モードによりプリンタで印刷するための印刷データの生成が可能になる。
【０１４０】
＜他の実施形態＞
本発明の印刷モードの確認または再設定は、Ｎ−ｕｐや付加印刷などの各種機能を適応した後の中間データに作用可能である。また、先の実施形態では、ＰＤＬモードとイメージモードの印刷モード切り替えを例に説明したが、ＬＩＰＳ、ＰＣＬ、ＰＳ等の各種ＰＤＬ同士の切り替えや、他の印刷のための描画を表現可能なデータ形式に関する切り替えでもかまわない。
【０１４１】
なお、本発明は、複数の機器（例えばホストコンピュータ、インタフェイス機器、リーダ、プリンタなど）から構成されるシステムに適用しても、一つの機器からなる装置（複写機、プリンタ、ファクシミリ装置など）に適用してもよい。
【０１４２】
また、本発明の目的は、前述した実施形態の機能を実現するソフトウェアのプログラムコードを記憶した記憶媒体を、システムあるいは装置のコンピュータ（またはＣＰＵやＭＰＵ）が記憶媒体に格納されたプログラムコードを読出し実行することによっても、達成される。この場合、記憶媒体から読み出されたプログラムコード自体が前述した実施形態の機能を実現することになり、そのプログラムコードを記憶した記憶媒体は本発明を構成することになる。
【０１４３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１４４】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０１４５】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【０１４６】
＜本発明の実施態様＞
本発明の実施態様の例を以下に示す。
【０１４７】
（実施態様１）  プリンタで印刷される印刷データを生成する情報処理装置であって、
受信した印刷ジョブデータを解析し、所望の順序で読み出し可能にする格納手段に、該解析に応じて該印刷ジョブデータをスプールするスプール手段と、
前記格納手段にスプールされた印刷ジョブデータを特定し、該印刷ジョブデータに設定されている印刷モードを変更する設定変更エディタ手段と、
前記設定変更エディタ手段により印刷モードが切り替えられた印刷ジョブデータに基づいて、前記プリンタで印刷される印刷データを生成するデータ生成手段と、
を備えることを特徴とする情報処理装置。
【０１４８】
（実施態様２）  前記スプール手段は、アプリケーションからグラフィックエンジンを介して入力される印刷ジョブデータを中間データに変換してスプールし、
前記データ生成手段は、該スプールされている中間データを処理して前記グラフィックエンジンに再出力し、該グラフィックエンジンから再度入力されるデータに基づいて印刷データを生成することを特徴とする実施態様１に記載の情報処理装置。
【０１４９】
（実施態様３）  前記スプールされた印刷ジョブデータを表示手段に表示するプレビューア手段を備え、
前記設定変更エディタ手段は、該表示されている印刷ジョブデータの印刷モードをページ単位に変更することを特徴とする実施態様１に記載の情報処理装置。
【０１５０】
（実施態様４）  前記印刷モードの切り替えの有無を判断する判定手段を更に備え、該判定手段は該印刷モードが切り替えられた場合は、前記格納手段にスプールされている印刷ジョブデータを更新することを特徴とする実施態様１に記載の情報処理装置。
【０１５１】
（実施態様５）  前記プレビューア手段は、前記印刷ジョブデータのページ単位のレイアウト表示と、該ページ単位に設定されている印刷モードと、を前記表示手段に組み合わせて表示制御することを特徴とする実施態様３に記載の情報処理装置。
【０１５２】
（実施態様６）  前記印刷モードには、ＰＤＬモードまたはイメージモードが含まれることを特徴とする実施態様１に記載の情報処理装置。
【０１５３】
（実施態様７）  プリンタで印刷される印刷データを生成する情報処理方法であって、
受信した印刷ジョブデータを解析し、所望の順序で読み出し可能にする格納手段に、該解析に応じて該印刷ジョブデータをスプールするスプール工程と、
前記格納手段にスプールされた印刷ジョブデータを特定し、該印刷ジョブデータに設定されている印刷モードを変更する設定変更エディタ工程と、
前記設定変更エディタ工程の処理により印刷モードが切り替えられた印刷ジョブデータに基づいて、前記プリンタで印刷される印刷データを生成するデータ生成工程と、
を備えることを特徴とする情報処理方法。
【０１５４】
（実施態様８）  前記スプール工程は、アプリケーションからグラフィックエンジンを介して入力される印刷ジョブデータを中間データに変換してスプールし、
前記データ生成工程は、該スプールされている中間データを処理して前記グラフィックエンジンに再出力し、該グラフィックエンジンから再度入力されるデータに基づいて印刷データを生成することを特徴とする実施態様７に記載の情報処理方法。
【０１５５】
（実施態様９）  前記スプールされた印刷ジョブデータを表示手段に表示するプレビューア工程を備え、
前記設定変更エディタ工程の処理により、該表示されている印刷ジョブデータの印刷モードはページ単位に切り替えられることを特徴とする実施態様７に記載の情報処理方法。
【０１５６】
（実施態様１０）  前記印刷モードの切り替えの有無を判断する判定工程を更に備え、該判定工程は該印刷モードが切り替えられた場合は、前記格納手段にスプールされている印刷ジョブデータを更新することを特徴とする実施態様７に記載の情報処理方法。
【０１５７】
（実施態様１１）  前記プレビューア工程は、前記印刷ジョブデータのページ単位のレイアウト表示と、該ページ単位に設定されている印刷モードと、を前記表示手段に組み合わせて表示制御することを特徴とする実施態様９に記載の情報処理方法。
【０１５８】
（実施態様１２）  プリンタで印刷される印刷データを生成する情報処理をコンピュータに実行させるプログラムであって、該プログラムが、
前記コンピュータが受信した印刷ジョブデータを解析し、所望の順序で読み出し可能にする格納手段に、該解析に応じて該印刷ジョブデータをスプールするスプールモジュールと、
前記格納手段にスプールされた印刷ジョブデータを特定し、該印刷ジョブデータに設定されている印刷モードを変更する設定変更エディタモジュールと、
前記設定変更エディタモジュールにより印刷モードが切り替えられた印刷ジョブデータに基づいて、前記プリンタで印刷される印刷データを生成するデータ生成モジュールと、
を備えることを特徴とするプログラム。
【０１５９】
（実施態様１３）  前記スプールモジュールは、アプリケーションからグラフィックエンジンを介して入力される印刷ジョブデータを中間データに変換してスプールし、
前記データ生成モジュールは、該スプールされている中間データを処理して前記グラフィックエンジンに再出力し、該グラフィックエンジンから再度入力されるデータに基づいて印刷データを生成することを特徴とする実施態様１２に記載のプログラム。
【０１６０】
（実施態様１４）  前記スプールされた印刷ジョブデータを表示手段に表示するプレビューアモジュールを備え、
前記設定変更エディタモジュールは、該表示されている印刷ジョブデータの印刷モードをページ単位に変更することを特徴とする実施態様１２に記載のプログラム。
【０１６１】
（実施態様１５）  前記印刷モードの切り替えの有無を判断する判定モジュールを更に備え、該判定モジュールは該印刷モードが切り替えられた場合は、前記格納手段にスプールされている印刷ジョブデータを更新することを特徴とする実施態様１２に記載のプログラム。
【０１６２】
（実施態様１６）  前記プレビューアモジュールは、前記印刷ジョブデータのページ単位のレイアウト表示と、該ページ単位に設定されている印刷モードと、を前記表示手段に組み合わせて表示制御することを特徴とする実施態様１４に記載のプログラム。
【０１６３】
【発明の効果】
以上説明したように、本発明によれば、ページ毎に選択されている印刷モードの表示と、そのページ毎に選択されている印刷モードの変更を可能にし、その変更した印刷モードによりプリンタで印刷するための印刷データの生成が可能になる。
【図面の簡単な説明】
【図１】実施形態にかかる印刷制御システムの構成を説明するブロック図である。
【図２】プリンタが接続されたホストコンピュータの従来の構成を示すブロック図である。
【図３】アプリケーションからの印刷命令をプリンタ制御コマンドに変換する前に、一旦中間コードスプールするプリントシステムの構成を示すブロック図である。
【図４】プリンタ１５００の構成を例示するカラーレーザプリンタの断面図である。
【図５】スプーラ３０２における、スプールファイル３０３を生成するページ単位の保存処理を説明するフローチャートである。
【図６】スプールファイルマネージャ３０４における印刷制御について説明するフローチャートである。
【図７】デスプーラ３０５における、印刷データの生成プロセスの詳細を説明するフローチャートである。
【図８】印刷設定入力をするための画面を例示する図である。
【図９】印刷スプール設定画面を例示する図である。
【図１０】スプールファイルマネージャ３０４が生成する印刷可能となった物理ページを構成する情報を保存するジョブ出力用設定ファイルの例を示す図である。
【図１１】図１０のフィールド１００２に図示されたジョブ設定情報の一例である。
【図１２】図１０のフィールド１００４に図示された物理ページ情報の一例を示す図である。
【図１３】図１２の物理ページ設定情報１２０２の例を示す図である。
【図１４】図１２の論理ページ情報１２０４の一例を示す図である。
【図１５】設定変更エディタ３０７におけるジョブ設定変更処理プロセスの詳細を説明するフローチャートである。
【図１６】スプールファイルマネージャ３０４でスプールされている印刷ジョブ一覧を表示する画面の一例を示す図である。
【図１７】プレビューアによる印刷モードの設定表示を例示する図である。
【図１８】設定変更エディタによる印刷モード設定を説明する図である。
【図１９】印刷モード毎の特徴を説明する図である。
【図２０】プレビューアに関する従来のＧＵＩを示す図である。
【図２１】設定変更エディタに関する従来のＧＵＩを示す図である。
【符号の説明】
１  ＣＰＵ
２  ＲＡＭ
３  ＲＯＭ
４  システムバス
１２  ＣＰＵ
１３  ＲＯＭ
１９  ＲＡＭ
３０００  ホストコンピュータ
１５００  プリンタ
【図１】
2004157610.tif 000003
【図２】
2004157610.tif 000004
【図３】
2004157610.tif 000005
【図４】
2004157610.tif 000006
【図５】
2004157610.tif 000007
【図６】
2004157610.tif 000008
【図７】
2004157610.tif 000009
【図８】
2004157610.tif 000010
【図９】
2004157610.tif 000011
【図１０】
2004157610.tif 000012
【図１１】
2004157610.tif 000013
【図１２】
2004157610.tif 000014
【図１３】
2004157610.tif 000015
【図１４】
2004157610.tif 000016
【図１５】
2004157610.tif 000017
【図１６】
2004157610.tif 000018
【図１７】
2004157610.tif 000019
【図１８】
2004157610.tif 000020
【図１９】
2004157610.tif 000021
【図２０】
2004157610.tif 000022
【図２１】
2004157610.tif 000023